(57)【要約】【課題】樹脂材料の種類に拘わらず、射出成形をスムーズに且つ高サイクルに実施可能としたホットランナノズルの成形型への組付構造を提供する。【解決手段】ノズルチップ４４の先端部の周囲に延びる位置固定の環状のショルダ面８４を、ノズル本体４２の先端に位置するように設ける一方、成形型１４に設けられた挿入孔３２の内周面に段付け面３６を設けて、ショルダ面８４と段付け面３６とが当接するように、ホットランナノズル４０を挿入孔３２内に挿入して、その挿入量を規制することにより、ゲート口３５に、ノズル孔７８，７８を対応位置させつつ、ノズルチップ４４の先端部と挿入孔３２の内周面との間に断熱空間１０２を形成して、ホットランナノズル４０を成形型１４に組み付けるようにした。【選択図】図１
2014079918.tif 000002
【特許請求の範囲】
【請求項１】
射出装置から射出される溶融樹脂が流通する樹脂流路が内部に設けられると共に、該樹脂流路内の該溶融樹脂を加熱する加熱手段が設けられたノズル本体と、該ノズル本体の樹脂流路内を流通する該溶融樹脂を吐出させるノズル孔が先端部に設けられたノズルチップとを有し、該ノズルチップの先端部が該ノズル本体の先端から突出するように、該ノズルチップが該ノズル本体に固定されてなるホットランナノズルを成形型に組み付けるための構造であって、該成形型に設けられる成形キャビティに連通するゲート口を一方の開口部として、該成形型に形成された挿入孔内に、他方の開口部から該ホットランナノズルを挿入すると共に、該ホットランナノズルと該成形型との間に設けられた挿入量規制手段にて、該ホットランナノズルの該挿入孔内への挿入量を規制することにより、該ゲート口に、前記ノズルチップの前記ノズル孔を対応位置させると共に、該ノズルチップの前記先端部と該挿入孔の内周面との間に断熱空間を形成して、該ホットランナノズルを該成形型に組み付けるようにしたものにおいて、
前記ノズルチップの先端部の周囲に延びる位置固定の環状のショルダ面を、前記ノズル本体の先端に位置するように設ける一方、前記成形型の前記挿入孔の内周面に、該挿入孔の前記ゲート口側部分を、該ゲート口とは反対の開口部側部分よりも狭小化させる環状の段付け面を設けて、それらショルダ面と段付け面とにて前記挿入量規制手段を構成し、前記ホットランナノズルの該挿入孔内への挿入状態下で、該ショルダ面を該段付け面に当接させることにより、該ホットランナノズルの該挿入孔内への挿入量を規制するようにしたことを特徴とするホットランナノズルの組付構造。
【請求項２】
前記射出装置から前記ホットランナノズルに及ぼされる押圧力に基づいて、または該ホットランナノズルを前記成形型に締結する締結力に基づいて、前記ショルダ面が、その全周に亘って、前記段付け面に押し付けられつつ、当接させられることにより、それらショルダ面と段付け面との間がシールされるようになっている請求項１に記載のホットランナノズルの組付構造。
【請求項３】
前記ノズルチップの先端部のうちの基端側部位を被覆する、該ノズルチップよりも熱伝導性の低いカバーが、前記ノズル本体に対して、その先端から突出するように固定されていると共に、該カバーの該ノズル本体先端からの突出部に、前記環状のショルダ面が形成されている請求項１又は請求項２に記載のホットランナノズルの組付構造。
【請求項４】
前記ホットランナノズルが、前記射出装置の加熱筒の先端に固定されている請求項１乃至請求項３のうちの何れか１項に記載のホットランナノズルの組付構造。
【請求項５】
前記ショルダ面と前記段付け面のうちの少なくとも何れか一方に、環状突起が一体形成されている請求項１乃至請求項４のうちの何れか１項に記載のホットランナノズルの組付構造。
【請求項６】
（ａ）射出装置と、（ｂ）該射出装置から射出される溶融樹脂が流通する樹脂流路が内部に設けられると共に、該樹脂流路内の該溶融樹脂を加熱する加熱手段が設けられたノズル本体と、該ノズル本体の樹脂流路内を流通する該溶融樹脂を吐出させるノズル孔が先端部に設けられたノズルチップとを有し、該ノズルチップの先端部が該ノズル本体の先端から突出するように、該ノズルチップが該ノズル本体に固定されてなるホットランナノズルと、（ｃ）一方の開口部が、成形キャビティに連通するゲート口とされた、該ホットランナノズルが挿入可能な挿入孔と、該ホットランナノズルの該挿入孔内への挿入量を規制する挿入量規制手段とを有し、該ホットランナノズルが該挿入孔内に挿入されて、該挿入量規制手段にて、該ホットランナノズルの該挿入孔内への挿入量が規制されることにより、前記ノズルチップの前記ノズル孔が、該ゲート口に対応位置させられると共に、該ノズルチップの前記先端部と該挿入孔の内周面との間に断熱空間が形成される成形型とを含んで構成された射出成形機であって、
前記ノズルチップの先端部の周囲に延びる位置固定の環状のショルダ面が、前記ノズル本体の先端に位置するように設けられる一方、前記挿入孔の内周面に、該挿入孔の前記ゲート口側部分を該ゲート口とは反対の開口部側部分よりも狭小化させる環状の段付け面が設けられて、それらショルダ面と段付け面とにて前記挿入量規制手段が構成され、前記ホットランナノズルの該挿入孔内への挿入状態下で、該ショルダ面が該段付け面に当接させられることにより、該ホットランナノズルの該挿入孔内への挿入量が規制されるようになっていることを特徴とする射出成形機。
【発明の詳細な説明】
【技術分野】
【０００１】
本発明は、ホットランナノズルの組付構造と射出成形機とに係り、特に、ホットランナノズルを成形型に有利に組み付けるための構造と、ホットランナノズルと、ホットランナノズルが有利に組み付けられた成形型とを有する射出成形機に関するものである。
【背景技術】
【０００２】
よく知られているように、射出成形には、大別して、ホットランナシステムを採用する成形方式とコールドランナシステムを採用する成形方式とがある。それらのうち、ホットランナシステムを採用する射出成形方式では、ランナレス化を実現でき、それによって、成形材料の節減と成形サイクルの短縮化を達成できるといったコストダウンに繋がる大きなメリットが得られる。
【０００３】
そこで、近年では、そのようなホットランナシステムを採用する射出成形方式を実施する際に用いられる射出装置やホットランナ型、或いはホットランナ型に組み付けられるホットランナノズル等の開発が進み、種々提案されてきている。そして、例えば、特開２０１２−２０４７２号公報（特許文献１）には、ホットランナノズルを成形型に有利に組み付けるための構造が、明らかにされている。
【０００４】
かかる公報に開示された組付構造により成形型に組み付けられるホットランナノズルは、ノズル本体とノズルチップとを有している。ノズル本体は、射出成形機の射出装置から射出される溶融樹脂が流通する樹脂流路が内部に設けられると共に、該樹脂流路内の該溶融樹脂を加熱する加熱手段が設けられて、構成されている。ノズルチップは、ノズル本体よりも熱伝導性の高い材料からなり、先端部に、ノズル本体の樹脂流路内を流通する溶融樹脂を吐出させるためのノズル孔が設けられて、構成されている。そして、このノズルチップのノズル孔が形成される先端部とは反対側の基端部が、ノズル本体の先端面に設けられたねじ孔に螺入されることにより、ノズルチップが、ノズル孔を有する先端部をノズル本体の先端面から突出させた状態で、ノズル本体に固定されている。一方、成形型には、ホットランナノズルを挿入可能な挿入孔が設けられている。また、この挿入孔の一方の開口部が、他方の開口部よりも小径とされて、この小径の開口部が、成形型内に形成される成形キャビティ内に連通するゲート口とされている。そして、そのような挿入孔内に、ホットランナノズルが、ゲート口とは反対の開口部から挿入されることにより、ノズルチップの先端部に設けられたノズル孔が、ゲート口に対応位置させられた状態で、ホットランナノズル４０が、成形型に組み付けられるようになっている。
【０００５】
また、挿入孔内に挿入されたホットランナノズルと成形型との間には、ホットランナノズルの挿入孔内への挿入量を規制する挿入量規制手段が設けられている。即ち、ホットランナノズルのノズル本体におけるノズルチップが固定される先端側とは反対側の基端側部位の外周面には、ノズル本体の基端部を先端部よりも大径化する段付け面が設けられている。また、かかるノズル本体の段付け面よりも先端部側には、スペーサリングが外挿されている。そして、このスペーサリングにおけるノズル本体の基端側に位置する端面が、ノズル本体の段付け面に係合することにより、ノズル本体の基端側への移動が阻止されるようになっている。更に、スペーサリングにおけるノズル本体の基端側の端部には、環状の外フランジ部が一体的に形成されており、この外フランジ部が、成形型における凹所の開口周縁部に係合している。これにより、かかる外フランジ部と成形型の凹所の開口周縁部とにて、挿入量規制手段が構成されて、ホットランナノズルの凹所内への挿入量が規制されるようになっているのである。
【０００６】
このようなホットランナノズルの成形型への組付構造によれば、ホットランナノズルの挿入孔内への挿入量が規制されることによって、ノズルチップの先端部の外周面と挿入孔のゲート口側の内周面との間に、それらを非接触とする断熱空間が、確実に設けられる。このため、ノズルチップが熱伝導性の高い材料を用いて構成されているにも拘わらず、ノズルチップの先端部から成形型への熱伝導が、断熱空間の存在によって抑制される。そして、その結果、ノズルチップの先端部から成形型への熱伝導に起因したノズルチップの温度低下により、ノズルチップの先端部に設けられた微細なノズル孔内で溶融樹脂が固化して、スムーズな射出成形が阻害される事態が生ずることが可及的に防止されるようになっている。また、そうして、高サイクル成形の実現が図られているのである。
【０００７】
ところが、本発明者が、かくの如き従来のホットランナノズルの組付構造について、種々検討を加えたところ、そこには、以下の如き問題が内在していることが判明した。
【０００８】
すなわち、一般に、ホットランナノズルを構成するノズル本体とノズルチップは、何れも、軸方向長さにおいて、ある程度の寸法公差を有している。このため、上記の如き従来のホットランナノズルの組付構造を採用する場合には、ノズル本体の基端部が成形型の挿入孔の開口周縁部に係合することで、断熱空間が、ノズル本体の先端から突出するノズルチップの先端部と挿入孔の内周面との間に形成されるところから、そのような断熱空間の幅（挿入孔の内周面とノズルチップの先端部との間の距離）が、予め設計された大きさよりも、ノズル本体の軸方向長さの寸法公差分とノズルチップ先端部の軸方向長さの寸法公差分とを加えた分だけ大きくなったり、或いは小さくなったりする可能性があった。そして、断熱空間の幅が、予め設計された大きさよりも小さくなると、ノズルチップの先端部から成形型への熱伝導量が不可避的に大きくなって、ノズル孔内での樹脂詰まりが生じ易くなり、それによって、スムーズな射出成形、更には射出成形の繰返し操作を安定的に実施することが困難となる恐れがあることが、判明したのである。しかも、特に、スーパーエンプラのような非常に高い融点を有する樹脂材料を用いた射出成形を実施する際に、そのような問題が生ずる可能性が、格段に高くなることも判ったのである。
【先行技術文献】
【特許文献】
【０００９】
【特許文献１】特開２０１２−２０４７２号公報
【発明の概要】
【発明が解決しようとする課題】
【００１０】
ここにおいて、本発明は、上記した事情を背景にして為されたものであって、その解決課題とするところは、ホットランナノズルのノズルチップの先端部と、ホットランナノズルが挿入される挿入孔の内周面との間に形成される断熱空間の幅が、設計値と可及的に一致する大きさとなるように、ホットランナノズルを成形型に組み付けることができ、それによって、ホットランナノズルが組み付けられた成形型を用いた射出成形が、樹脂材料の種類に拘わらず、スムーズに且つ高サイクルに、繰返し実施できるように改良されたホットランナノズルの組付構造を提供することにある。また、本発明は、ホットランナノズルのノズルチップの先端部と、ホットランナノズルが挿入される挿入孔の内周面との間に形成される断熱空間の幅が、設計値と可及的に一致する大きさとなるように、ホットランナノズルが組み付けられてなる構造の成形型を有し、射出成形が、樹脂材料の種類に拘わらず、スムーズに且つ高サイクルに、繰返し実施できるように改良された射出成形機を提供することをも、その解決課題とするところである。
【課題を解決するための手段】
【００１１】
そして、本発明にあっては、かかる課題の解決のために、射出装置から射出される溶融樹脂が流通する樹脂流路が内部に設けられると共に、該樹脂流路内の該溶融樹脂を加熱する加熱手段が設けられたノズル本体と、該ノズル本体の樹脂流路内を流通する該溶融樹脂を吐出させるノズル孔が先端部に設けられたノズルチップとを有し、該ノズルチップの先端部が該ノズル本体の先端から突出するように、該ノズルチップが該ノズル本体に固定されてなるホットランナノズルを成形型に組み付けるための構造であって、該成形型に設けられる成形キャビティに連通するゲート口を一方の開口部として、該成形型に形成された挿入孔内に、他方の開口部から該ホットランナノズルを挿入すると共に、該ホットランナノズルと該成形型との間に設けられた挿入量規制手段にて、該ホットランナノズルの該挿入孔内への挿入量を規制することにより、該ゲート口に、前記ノズルチップの前記ノズル孔を対応位置させると共に、該ノズルチップの前記先端部と該挿入孔の内周面との間に断熱空間を形成して、該ホットランナノズルを該成形型に組み付けるようにしたものにおいて、前記ノズルチップの先端部の周囲に延びる位置固定の環状のショルダ面を、前記ノズル本体の先端に位置するように設ける一方、前記成形型の前記挿入孔の内周面に、該挿入孔の前記ゲート口側部分を、該ゲート口とは反対の開口部側部分よりも狭小化させる環状の段付け面を設けて、それらショルダ面と段付け面とにて前記挿入量規制手段を構成し、前記ホットランナノズルの該挿入孔内への挿入状態下で、該ショルダ面を該段付け面に当接させることにより、該ホットランナノズルの該挿入孔内への挿入量を規制するようにしたことを特徴とするホットランナノズルの組付構造を、その要旨とするものである。
【００１２】
なお、本発明の有利な態様の一つによれば、前記射出装置から前記ホットランナノズルに及ぼされる押圧力に基づいて、または該ホットランナノズルを前記成形型に締結する締結力に基づいて、前記ショルダ面が、その全周に亘って、前記段付け面に押し付けられつつ、当接させられることにより、それらショルダ面と段付け面との間がシールされるように構成される。
【００１３】
また、本発明の好ましい態様の一つによれば、前記ノズルチップの先端部のうちの基端側部位を被覆する、該ノズルチップよりも熱伝導性の低いカバーが、前記ノズル本体に対して、その先端から突出するように固定されていると共に、該カバーの該ノズル本体先端からの突出部に、前記環状のショルダ面が形成される。
【００１４】
さらに、本発明の望ましい態様の一つによれば、前記ホットランナノズルが、前記射出装置の加熱筒の先端に固定される。
【００１５】
更にまた、本発明の好適な態様の一つによれば、前記ショルダ面と前記段付け面のうちの少なくとも何れか一方に、環状突起が一体形成される。
【００１６】
そして、本発明にあっては、（ａ）射出装置と、（ｂ）該射出装置から射出される溶融樹脂が流通する樹脂流路が内部に設けられると共に、該樹脂流路内の該溶融樹脂を加熱する加熱手段が設けられたノズル本体と、該ノズル本体の樹脂流路内を流通する該溶融樹脂を吐出させるノズル孔が先端部に設けられたノズルチップとを有し、該ノズルチップの先端部が該ノズル本体の先端から突出するように、該ノズルチップが該ノズル本体に固定されてなるホットランナノズルと、（ｃ）一方の開口部が、成形キャビティに連通するゲート口とされた、該ホットランナノズルが挿入可能な挿入孔と、該ホットランナノズルの該挿入孔内への挿入量を規制する挿入量規制手段とを有し、該ホットランナノズルが該挿入孔内に挿入されて、該挿入量規制手段にて、該ホットランナノズルの該挿入孔内への挿入量が規制されることにより、前記ノズルチップの前記ノズル孔が、該ゲート口に対応位置させられると共に、該ノズルチップの前記先端部と該挿入孔の内周面との間に断熱空間が形成される成形型とを含んで構成された射出成形機であって、前記ノズルチップの先端部の周囲に延びる位置固定の環状のショルダ面が、前記ノズル本体の先端に位置するように設けられる一方、前記挿入孔の内周面に、該挿入孔の前記ゲート口側部分を該ゲート口とは反対の開口部側部分よりも狭小化させる環状の段付け面が設けられて、それらショルダ面と段付け面とにて前記挿入量規制手段が構成され、前記ホットランナノズルの該挿入孔内への挿入状態下で、該ショルダ面が該段付け面に当接させられることにより、該ホットランナノズルの該挿入孔内への挿入量が規制されるようになっていることを特徴とする射出成形機をも、また、その要旨とするものである。
【００１７】
そのような射出成形機においては、有利には、前記射出装置の加熱筒の先端に、前記ホットランナノズルが固定されることとなる。
【００１８】
また、射出装置から射出される溶融樹脂が流通する樹脂流路が内部に設けられると共に、該樹脂流路内の該溶融樹脂を加熱する加熱手段が設けられたノズル本体と、該ノズル本体の樹脂流路内を流通する該溶融樹脂を吐出させるノズル孔が先端部に設けられたノズルチップとを備えて、該ノズルチップの先端部が該ノズル本体の先端から突出するように、該ノズルチップが該ノズル本体に固定されてなるホットランナノズルが挿入可能な挿入孔と、該ホットランナノズルの該挿入孔内への挿入量を規制する挿入量規制手段が設けられて、該ホットランナノズルが該挿入孔内に挿入されて組み付けられていると共に、該挿入量規制手段にて、該ホットランナノズルの該挿入孔内への挿入量が規制されていることにより、該挿入孔の一方の開口部からなる、成形キャビティに連通するゲート口に、前記ノズルチップの前記ノズル孔が対応位置させられると共に、該ノズルチップの前記先端部と該挿入孔の内周面との間に断熱空間が形成されて構成されたホットランナ型は、前記ノズルチップの先端部の周囲に延びる位置固定の環状のショルダ面が、前記ノズル本体の先端に位置するように設けられる一方、前記挿入孔の内周面に、該挿入孔の前記ゲート口側部分を、該ゲート口とは反対の開口部側部分よりも狭小化させる環状の段付け面が設けられて、それらショルダ面と段付け面とにて前記挿入量規制手段が構成され、前記ホットランナノズルの該挿入孔内への挿入状態下で、該ショルダ面が該段付け面に当接させられることにより、該ホットランナノズルの該挿入孔内への挿入量が規制されるように構成されることとなる。
【発明の効果】
【００１９】
すなわち、本発明に従うホットランナノズルの組付構造にあっては、ノズル本体の先端に位置するように設けられたショルダ面と、成形型の挿入孔の内周面に設けられた段付け面との当接により、ホットランナノズルの挿入孔内への挿入量が規制されるようになっている。それ故、ノズルチップの先端部と挿入孔の内周面との間に形成される断熱空間の幅が、予め設計された大きさよりも、ノズルチップの先端部の軸方向長さの寸法公差の分だけ増減する可能性はあるものの、その増減量は、ノズル本体の軸方向長さの寸法公差分とノズルチップ先端部の軸方向長さの寸法公差分とを加えた分よりも有利に小さくされ得る。しかも、ノズルチップの先端部の軸方向長さは、ノズル本体の軸方向長さよりも十分に小さくされているため、そのようなノズルチップの先端部の軸方向長さの寸法公差は、極めて小さな値とされる。
【００２０】
従って、本発明に従うホットランナノズルの組付構造によれば、ホットランナノズルのノズルチップの先端部と、ホットランナノズルが挿入される挿入孔の内周面との間に形成される断熱空間の幅が、設計値と可及的に一致する大きさとなるように、ホットランナノズルを成形型に組み付けることができる。そして、それにより、ホットランナノズルが組み付けられた成形型を用いた射出成形を、樹脂材料の種類に拘わらず、スムーズに且つ高サイクルに、繰返し実施することが可能となるのである。
【００２１】
そして、本発明に従う射出成形機にあっては、ホットランナノズルが、上記した組付構造によって成形型に組み付けられているところから、上記した本発明に従うホットランナノズルの組付構造において奏される作用・効果と実質的に同一の作用・効果が、有効に享受され得るのである。
【図面の簡単な説明】
【００２２】
【図１】本発明に従う構造を有する射出成形機の一実施形態を示す部分断面説明図である。
【図２】図１のII部拡大説明図である。
【図３】本発明に従う構造を有する射出成形機の別の実施形態を示す図１に対応する図である。
【図４】本発明に従う構造を有する射出成形機の更に別の実施形態を示す図１に対応する図である。
【図５】本発明に従う構造を有する射出成形機の他の実施形態を示す図１に対応する図である。
【図６】本発明に従う構造を有する射出成形機の更に他の実施形態を示す図２に対応する図である。
【図７】本発明に従う構造を有する射出成形機の別の実施形態を示す図１に対応する図である。
【図８】本発明に従う構造を有する射出成形機の更に別の実施形態を示す図１に対応する図である。
【発明を実施するための形態】
【００２３】
以下、本発明を更に具体的に明らかにするために、本発明の実施の形態について、図面を参照しつつ、詳細に説明する。
【００２４】
先ず、図１には、本発明に従う構造を有する射出成形機の一実施形態の一部分が、その断面形態において示されている。かかる図１から明らかなように、本実施形態の射出成形機１０は、射出装置１２と成形型１４とを有している。それら射出装置１２と成形型１４は、何れも、従来と同様な基本構造を有している。
【００２５】
すなわち、射出装置１２は、ここでは、インラインスクリュ式の構造を有し、図示しないスクリュが内部に挿入配置された加熱筒１６を備えている。また、図示されてはいないものの、かかる加熱筒１６の外周面には、バンドヒータが装着されている。そして、従来と同様に、ホッパ（図示せず）を通じて加熱筒１６内に投入された樹脂材料が、バンドヒータによる加熱とスクリュの回転による剪断作用により可塑化溶融されると共に、スクリュの前進作動により、加熱筒１６の先端の射出孔１８から、溶融状態で射出されるようになっている。
【００２６】
一方、成形型１４は、固定型２０と可動型２２とを有している。そして、図１には明示されてはいないものの、この成形型１４にあっては、従来と同様な構造を有する型開閉装置により、可動型２２が固定型２０に対して接近乃至離隔移動させられることによって、それら可動型２２と固定型２０とが、型閉め乃至型開きされるようになっている。
【００２７】
また、可動型２２には、固定型２０との型合せ面２８において開口するキャビティ形成凹所２６が設けられている。そして、可動型２２と固定型２０とが型閉めされることにより、キャビティ形成凹所２６の開口部が、固定型２０の型合せ面２４にて閉塞されて、目的とする射出成形品に対応した形状を有する成形キャビティ３０が、固定型２０と可動型２２との間に形成されるようになっている。
【００２８】
一方、固定型２０には、可動型２２との対向方向（図１での上下方向）において固定型２０を貫通して延びる挿入孔３２が形成されている。この挿入孔３２は、固定型２０の型合せ面２４とは反対側の面において開口する、他方の開口部としての第一開口部３３と、型合せ面２４において開口する、一方の開口部としての第二開口部３４とを有している。そして、かかる挿入孔３２が、第一開口部３３を通じて外部に連通している一方、固定型２０と可動型２２との型閉じにより成形型１４に形成される成形キャビティ３０内に、第二開口部３４を通じて連通している。これにより、かかる第二開口部３４が、ゲート口３５とされている。
【００２９】
また、挿入孔３２の内周面のうち、ゲート口３５（第二開口部３４）に近位の部位には、挿入孔３２のゲート口３５側部分を、それ以外の部分（挿入孔３２の延出方向の中間に位置する部分と、挿入孔３２のゲート口３５とは反対の第一開口部３３側に位置する部分）よりも小径化する段付け面３６が、形成されている。この段付け面３６は、挿入孔３２の延出方向に対して直角な方向に広がる平坦な円環面にて構成されている。
【００３０】
そして、挿入孔３２においては、段付け面３６よりも第一開口部３３側の部分が、第一挿入部３７とされている一方、段付け面３６よりもゲート口３５側の部分が、第二挿入部３８とされている。第一挿入部３７は、内周面が、一定の内径をもって延びる円筒形状を有している。また、第二挿入部３８は、段付け面３６側の内周面部分が、第一挿入部３７の内周面よりも小径の円筒面形状とされている一方、ゲート口３５側の内周面部分が、ゲート口３５に向かって次第に小径化するテーパ面形状とされている。これによって、ゲート口３５の径が、第一開口部３３の径よりも十分に小さくされている。
【００３１】
そして、図１に示されるように、本実施形態の射出成形機１０にあっては、ホットランナノズル４０が、射出装置１２の加熱筒１６の先端に固定されており、このホットランナノズル４０が、成形型１４に対して、従来には見られない特別な構造において組み付けられているのである。
【００３２】
より詳細には、ホットランナノズル４０は、ノズル本体４２と、ノズル本体４２の先端（図１での下端）に固定されたノズルチップ４４とを有して、構成されている。ノズル本体４２は、例えば、鉄や鉄合金等の金属材料を用いて形成された略厚肉の円筒体４６と、この円筒部４６の外周面の全体を覆う、鉄や鉄合金等の金属製の本体カバー４８とを、更に有している。
【００３３】
そして、かかるノズル本体４２においては、その内孔５０の内周面のうち、円筒体４６の軸方向中央よりも先端側に所定寸法だけ偏倚した内周面部分に、先端側の内周面部分を基端側（図１での上端側）の内周面部分よりも大径化する、軸直角方向に広がる平坦な円環面からなる段差面５１が形成されている。これにより、段差面５１よりもノズル本体４２の基端側に位置する内孔５０部分が、前記射出孔１８と略同一の径を有して延びる本体側樹脂流路５２とされている。また、段差面５１よりもノズル本体の先端側に位置する内孔５０部分が、本体側樹脂流路５２よりも大径の収容孔部５４とされている。そして、この収容孔部５４の内周面のうち、ノズル本体４２の先端側の内孔５０の開口部から所定深さに至るまでの内周面部分に、雌ねじ５６が形成されている。
【００３４】
また、円筒体４６の外周面には、加熱手段としてのコイルヒータ５８が、円筒体４６の略全長に亘って巻き付けられている。このコイルヒータ５８は、円筒体４６の外周面と、それを覆う本体カバー４８の内周面との間で挟持されることにより、ノズル本体４２に固定されている。また、コイルヒータ５８には、給電線を介して、電源装置（共に図示せず）が接続されている。かくして、電源装置からの給電によるコイルヒータ５８の発熱により、ノズル本体４２の全体が加熱され、それにより、後述するように、本体側樹脂流路５２内を流通する溶融樹脂と、収容孔部５４内に収容されるノズルチップ４４とを共に加熱するようになっているのである。
【００３５】
さらに、ノズル本体４２においては、軸方向（長さ方向）中央よりも基端側に所定寸法だけ偏倚して位置する外周面部分に、軸直角方向外方に突出して、周方向に連続して延びる円環状の段差部６０が設けられている。これにより、ノズル本体４２の段差部６０よりも基端側部分が大径部６２とされている一方、段差部６０よりも先端側部分が小径部６４とされている。ここでは、ノズル本体４２の小径部６４の外径が、固定型２０に設けられた挿入孔３２の第一挿入部３７の径よりも僅かに小さな大きさとされている。
【００３６】
一方、ノズルチップ４４は、例えば、チタン合金やタングステン、或いはアルミニウムやアルミニウム合金等、ノズル本体４２の円筒体４６や本体カバー４８の形成材料よりも熱伝導性の高い金属材料を用いて形成された筒体からなっている。そして、この筒体からなるノズルチップ４４は、軸方向一方側（図１での下側）に位置する先端部が、先端に向かって次第に小径となるテーパ形状を呈するテーパ部６６とされている。また、かかるテーパ部６６を除くノズルチップ４４部分のうち、テーパ部６６と隣接する軸方向一方側部分が、テーパ部６６の最大径と同一の外径を有する小径部６８とされている一方、軸方向中間部が、小径部６８よりも外径の大きな中径部７０とされ、更に、テーパ部６６側とは反対の基端側（図１での上側）部分が、中径部７０よりも更に外径の大きな大径部７２とされている。なお、ここでは、ノズルチップ４４の大径部７２の外径が、ノズル本体４２の収容孔部５４の内径よりも所定寸法だけ小さくされていると共に、ノズルチップ４４の軸方向長さが、収容孔部５４の軸方向長さよりも所定寸法だけ大きくされている。
【００３７】
また、図１及び図２から明らかなように、かかるノズルチップ４４においては、その内孔が、ノズル本体４２の内部に設けられた本体側樹脂流路５２と略同一の径を有するチップ側樹脂流路７６とされている。更に、このチップ側樹脂流路７６は、ノズルチップ４４の先端部内で二つに分岐しており、そのようなチップ側樹脂流路７６の二つの分岐流路が、ノズルチップ４４のテーパ部６６に形成された二つのノズル孔７８，７８を通じて、それぞれ外部に開口している。これにより、後述するように、本体側樹脂流路５２からチップ側樹脂流路７６内に流入した溶融樹脂が、チップ側樹脂流路７６から二つのノズル孔７８，７８を通じて吐出されるようになっているのである。
【００３８】
そして、ここでは、ノズルチップ４４に対して、チップカバー７４が外挿されて、二つのノズル孔７８，７８が設けられるテーパ部６６の先端部を除くノズルチップ４４の大部分が、チップカバー７４にて被覆されている。このチップカバー７４は、ノズルチップ４４を形成する金属材料よりも熱伝導性の低い材料、例えば、鉄や鉄合金等の金属材料を用いて形成された筒体からなっている。また、この筒体からなるチップカバー７４は、ノズルチップ４４の中径部７０と小径部６８とテーパ部６６の軸方向長さの合計よりも所定寸法だけ短い軸方向長さを有している。また、チップカバー７４の内径が、ノズルチップ４４の中径部７０の外径よりも極僅かに大きく且つノズルチップ４４の大径部７２の外径よりも所定寸法だけ小さな寸法とされている。
【００３９】
これによって、チップカバー７４のノズルチップ４４に対する外挿状態下で、ノズルチップ４４のテーパ部６６の先端部位が、そこに設けられた二つのノズル孔７８，７８を外部に露出させるように、チップカバー７４の軸方向一方側の先端側開口部から突出位置させられている。また、ノズルチップ４４の大径部７２が、チップカバー７４の先端側とは反対の基端側開口部を通じて、外部に突出位置している。そして、かかる配置状態下で、ノズルチップ７４の大径部７２と中径部７０との間に形成される、軸直角方向に広がる平坦な円環面からなる段差面が、チップカバー７４の基端側端面に当接している。
【００４０】
また、チップカバー７４においては、ノズルチップ４４の先端側のテーパ部６６に外挿される（テーパ部６６を被覆する）先端部が、前記固定型２０に設けられた挿入孔３２の第二挿入部３８の内周面形状に対応した形状、つまり、基端側が円筒面とされ、且つ先端側がテーパ面とされた形状の外周面を有して、かかる第二挿入部３８内に挿入可能な形状とされている。なお、第二挿入部３８の内周面に対応した形状の外周面を有するチップカバー７４の先端部は、その軸方向長さが、第二挿入部３８の軸方向長さよりも所定寸法短い長さとされている。
【００４１】
さらに、ノズルチップ４４の中径部７０に外挿される（中径部７０を被覆する）基端側部分の外周面には、雄ねじ８０が形成されている。また、ノズルチップ４４の小径部６８に外挿される（小径部６８を被覆する）、チップカバー７４の軸方向中間部の外周面には、軸直角方向外方に所定高さで突出し、且つ周方向に連続して延びる円環板状の外フランジ部８２が一体形成されている。そして、この外フランジ部８２の厚さ方向両側端面のうち、チップカバー７４の先端側に位置する端面が、ノズルチップ４４の先端部の周囲に、かかる先端部の周方向に延出した、軸直角方向に広がる平坦な円環面からなるショルダ面８４とされている。
【００４２】
そして、そのようなチップカバー７４が外挿されたノズルチップ４４が、チップカバー７４と共に、ノズル本体４２における円筒体４６の内孔５０の収容孔部５４内に、内孔５０の先端開口部側から挿入されて、収容されている。また、かかる収容状態下で、チップカバー７４の基端側部分の外周面に形成された雄ねじ８０が、収容孔部５４の内周面に形成された雌ねじ５６に螺合されている。そして、この雄ねじ８０の雌ねじ５６に対する締付けにより、ノズルチップ４４のチップ側樹脂流路７６が、ノズル本体４２の本体側樹脂流路５２に連通した状態で、ノズルチップ４４の大径部７２が、チップカバー７４の基端側端面と、ノズル本体４２の内孔５０の内周面の軸方向中間部に設けられた段差面５１との間で挟持されて、ノズルチップ４４が、ノズル本体４２の先端部に固定されている。
【００４３】
かくして、ノズル本体４２の先端部へのノズルチップ４４の固定状態下において、チップカバー７４の外フランジ部８２と、外フランジ部８２よりも先端側部分とが、ノズル本体４２の内孔５０から、その先端開口部を通じて突出配置されている。それにより、外フランジ部８２の端面からなるショルダ面８４が、ノズル本体４２の先端において、ノズルチップ４４の先端部の周囲に、軸直角方向に広がるように配置されている。また、ノズルチップ４４の先端部に設けられた二つのノズル孔７８，７８が、ノズル本体４２の先端において、外部に露出されている。
【００４４】
そして、本実施形態にあっては、かくの如き構造とされたホットランナノズル４０が、射出装置１２の加熱筒１６の先端に、以下のようにして固定されて、成形型１４に組み付けられている。
【００４５】
すなわち、図１に示されるように、射出装置１２の加熱筒１６の先端には、高さの低い円柱形状を呈する射出孔形成ブロック８６が、加熱筒１６と同軸的に位置した状態で、複数（図１には１個のみを示す）の取付ボルト８８にて固定されている。この射出孔形成ブロック８６には、加熱筒１６への固定側とは反対側の端面において開口する凹部９０が設けられている。この凹部９０は、ノズル本体４２の大径部６２が収容可能な大きさを有している。
【００４６】
また、射出孔形成ブロック８６の中心部には、軸方向に延出して、凹部９０の底面と、加熱筒１６への固定側の端面とにおいて、それぞれ開口する貫通孔９２が形成されている。この貫通孔９２は、加熱筒１６への固定側の端面において開口する一方の開口部の径が、加熱筒１６の内孔の径と同一の大きさとされ、この一方の開口部を通じて、加熱筒１６の内孔と連通している。また、かかる貫通孔９２においては、延出方向中間に位置する内周面部分が、加熱筒１６への固定側の端面の側から凹部９０の底面の側に向かって次第に小径となるテーパ面とされている。これにより、凹部９０の底面において開口する他方の開口部が、加熱筒１６の内孔と同一径とされた一方の開口部よりも十分に小径化され、そして、この他方の開口部が、射出孔１８とされている。なお、図１から明らかなように、ここでは、射出孔１８の径が、ノズル本体４２の本体側樹脂流路５２の径と同一の大きさとされている。
【００４７】
一方、ホットランナノズル４０におけるノズル本体４２の小径部６４には、取付板９４が外挿されている。この取付板９４は、厚肉の円環板からなり、中心部に、小径部６４が挿通される挿通孔９６を有している。かかる挿通孔９６は、ノズル本体４２の小径部６４の外径よりも僅かに大きく、且つノズル本体４２の大径部６２の外径よりも小さな内径を有している。また、挿通孔９６の二つの開口部のうち、ノズル本体４２の大径部６２側に位置する開口側の内周面部分には、係合部９８が設けられている。この係合部９８は、ノズル本体４２の大径部６２側の開口部を、それとは反対の開口部よりも所定寸法だけ大径化するように段付けする、軸直角方向に広がる段付け面を有している。
【００４８】
そして、そのような取付板９４の小径部６４への外挿状態下で、ノズル本体４２の大径部６２が、加熱筒１６の先端に固定された射出孔形成ブロック８６の凹部９０内に収容されていると共に、取付板９４が、かかる凹部９０を覆蓋するように位置して、射出孔形成ブロック９０の先端面に重ね合わされている。また、かかる状態下において、ノズル本体４２が、射出孔形成ブロック８６及び加熱筒１６と同軸上で、大径部６２の端面を凹部９０の底面に当接させると共に、ノズル本体４２の本体側樹脂流路５２を、射出孔形成ブロック８６の射出孔１８に連通させて、配置されている。更に、ノズル本体４２の大径部６２と小径部６４とを段付けする段差部６０が、取付板９４の挿通孔９６の内周面に設けられた係合部９８に対して、ノズル本体４２の軸方向において当接して、係合している。そして、取付板９４が、複数（図１には２個のみ示す）の取付ボルト１００にて、射出孔形成ブロック８６に固定されている。
【００４９】
かくして、ノズル本体４２の大径部６２が、取付板９４の係合部９８と射出孔形成ブロック８６の凹部９０の底面との間で挟持されて、ホットランナノズル４０が、射出装置１２の加熱筒１６の先端に固定されている。これにより、加熱筒１６の射出孔１８から射出された溶融樹脂が、ホットランナノズル４０のノズル本体４２の本体側樹脂流路５２内に流入して、コイルヒータ５８により加熱されつつ、本体側樹脂流路５２内を流動し、更に、コイルヒータ５８により加熱されたノズルチップ４４のチップ側樹脂流路７６内を流動して、二つのノズル孔７８，７８から吐出させられるようになっている。
【００５０】
そして、本実施形態では、加熱筒１６の先端に固定されたホットランナノズル４０が、固定型２０に設けられた挿入孔３２内に、第一開口部３３を通じて、同軸的に挿入されている。具体的には、ホットランナノズル４０の先端からノズル本体４２の小径部６４の軸方向中間部までの部分が、挿入孔３２の第一挿入部３７の内周面に摺接して、案内されつつ、挿入孔３２の第一挿入部３７内に挿入配置されている。また、それと共に、ノズル本体４２の小径部６４の先端から突出するノズルチップ４４の小径部６８と、この小径部６８に外挿されるチップカバー７４部分に一体形成された外フランジ部８２も、挿入孔３２の第一挿入部３７内に挿入配置されている。
【００５１】
そして、図２に示されるように、かくの如きホットランナノズル４０の挿入孔３２内への挿入状態下で、チップカバー７４の外フランジ部８２が有するショルダ面８４の全面が、挿入孔３２の段付け面３６に当接して、ショルダ面８４が、段付け面３６に対して、ホットランナノズル４０の軸方向（ホットランナノズル４０の挿入孔３２内への挿入方向）において係合している。これによって、ホットランナノズル４０の挿入孔３２内への更なる挿入が阻止されて、ホットランナノズル４０の挿入孔３２内への挿入量が規制されている。
【００５２】
また、そのようなホットランナノズル４０の挿入孔３２内への挿入規制状態下において、ノズルチップ４４のテーパ部６６と、このテーパ部６６の基端側部分に外挿された、チップカバー７４のショルダ面８４よりも先端側の部分だけが、挿入孔３２の第二挿入部３８内に挿入されて、かかる第二挿入部３８の内周面と離間配置されている。
【００５３】
かくして、チップカバー７４の先端部、及びかかる先端部から突出するノズルチップ４４のテーパ部６６の先端部のそれぞれの外周面と、第二挿入部３８の内周面との間に、断熱空間１０２が形成されている。これにより、高い熱伝導性を有するノズルチップ４４が、固定型２０（成形型１４）に対して直接に接触することが回避され、また、ノズルチップ４４の大部分を被覆するチップカバー７４も、外フランジ部８２のショルダ面８４のみの限定された部分以外は、固定型２０と非接触とされている。そうして、ノズルチップ４４から固定型２０への熱伝導が可及的に防止されるようになっている。
【００５４】
さらに、ここでは、第二挿入部３８内に挿入されたノズルチップ４４のテーパ部６６とチップカバー７４の先端部の軸方向長さ（図１にＬにて示される長さ）が、第二挿入部３８の軸方向長さと同じ長さとされて、ノズルチップ４４のテーパ部６６の先端縁が、前記ゲート口３５に配置されている。これにより、ノズルチップ４４のテーパ部６６の先端部に設けられた二つのノズル孔７８，７８が、断熱空間１０２を通じてゲート口３５に連通するように、ゲート口３５に対して対応配置されている。これらのことから明らかなように、本実施形態では、チップカバー７４のショルダ面８４と挿入孔３２の段付け面３６とにて、挿入量規制手段が構成されている。
【００５５】
そして、本実施形態の射出成形機１０においては、上記の如きホットランナノズル４０の挿入孔３２内への挿入下で、射出装置１２から、ホットランナノズル４０に対して、加熱筒４６を固定型２０に接近させる方向に向かって押圧トルクが加えられている。
【００５６】
かくして、外フランジ部８２のショルダ面８４が、挿入孔３２の段付け面３６に対して、射出装置１２から加えられる押圧トルクの大きさに応じた力で押し付けられている。そして、それにより、ホットランナノズル４０が、射出装置１２と固定型２０との間で挟持された状態で、固定型２０に対して固定的に組み付けられている。また、それと共に、外フランジ部８２のショルダ面８４と挿入孔３２の段付け面３６との間が、ショルダ面８４の段付け面３６への押し付け力に基づいて、流体密にシールされるようになっているのである。
【００５７】
以上の説明から明らかなように、本実施形態の射出成形機１０にあっては、固定型２０の段付け面３６に当接して、係合するショルダ面８４よりもホットランナノズル４０の先端側に位置する部分が、ノズルチップ４４のテーパ部６６とチップカバー７４の先端部のみとされている。そして、そのようなショルダ面８４よりもホットランナノズル４０の先端側に位置する部分（ノズルチップ４４のテーパ部６６）の軸方向長さ：Ｌが、十分に小さくされている。
【００５８】
このため、本実施形態では、ノズルチップ４４のテーパ部６６やチップカバー７４の先端部と、挿入孔３２の第二挿入部３７の内周面との間に形成される断熱空間１０２の最小幅（図２にＷにて示される寸法）が、予め設計された大きさに比して、ノズルチップ４４のテーパ部６６の軸方向長さ；Ｌの寸法公差の分だけ、誤差が生じている。しかしながら、テーパ部６６の軸方向長さ：Ｌが十分に小さくされていることで、そのようなテーパ部６６の寸法公差も極めて小さなものとされている。それ故、断熱空間１０２の最小幅：Ｗが、略設計値通りの値とされている。
【００５９】
従って、かくの如き本実施形態の射出成形機１０にあっては、断熱空間１０２の最小幅：Ｗが設計値よりも狭小化することによって、熱伝導性の高いノズルチップ４４から成形型１４（固定型２０）への熱伝導量が設計量よりも大きくなってしまうことが、効果的に回避され得る。そして、その結果として、汎用樹脂を用いた射出成形は勿論、例えば、スーパーエンプラのような非常に高い融点を有する樹脂材料を用いた射出成形をも、極めてスムーズに且つ安定的に、繰返し実施することが可能となっているのである。
【００６０】
また、本実施形態では、チップカバー７４に一体形成された外フランジ部８２のショルダ面８４が、挿入孔３２の段付け面３６に対して、射出装置１２から及ぼされる押圧トルクにより押し付けられて、それらショルダ面８４と段付け面３６との間がシールされるようになっている。これによって、ノズルチップ４４のテーパ部６６と挿入孔３２の第二挿入部３７の内周面との間に形成される断熱空間１０２以外の挿入孔３２部分内への溶融樹脂の漏れが確実に防止され得る。
【００６１】
さらに、本実施形態においては、段付け面３６と接触するショルダ面８４が、ノズルチップ４４には設けられておらず、ノズルチップ４４に外挿された、ノズルチップ４４よりも熱伝導性の低い材料からなるチップカバー７４に一体形成されている。これによって、ショルダ面８４から段付け面３６への熱伝導量が効果的に小さくされ、その結果、スムーズな射出成形が、より有利に実現され得るのである。
【００６２】
また、本実施形態では、ホットランナノズル４０が、射出装置１２の加熱筒１６の先端に固定されている。それ故、ホットランナノズル４０を成形型１４に取り付ける必要がなく、その分だけ、成形型１４の構造の簡略化が図られ得る。
【００６３】
以上、本発明の具体的な構成について詳述してきたが、これはあくまでも例示に過ぎないのであって、本発明は、上記の記載によって、何等の制約をも受けるものではない。
【００６４】
例えば、前記実施形態では、ホットランナノズル４０が、加熱筒１６の先端に固定されていたが、ホットランナノズル４０を加熱筒１６とは独立した部材として構成しても良い。その場合には、例えば、以下のようにして、ホットランナノズル４０が、成形型１４に対して固定的に組み付けられることとなる。
【００６５】
すなわち、図３に示されるように、ノズル本体４２の基端側端面、つまり、ノズルチップ４４の固定側とは反対側の端面に、球面状のタッチ面１０４が設けられたホットランナノズル４０が、挿入孔３２内に挿入される。また、その挿入状態下で、ノズル本体４２の先端から突出するチップカバー７４の先端部に設けられた外フランジ部８２のショルダ面８４が、挿入孔３２の内周面に設けられた段付け面３６に当接させられる。そして、加熱筒１６が、その先端に固定された射出孔形成ブロック８６に設けられる球面状の先端面をノズル本体４２のタッチ面１０４に当接させた状態で、ノズル本体４２に押し付けられる。これによって、ホットランナノズル４０が、加熱筒１６と固定型２０との間で挟持されて、成形型１４に対して固定的に組み付けられるのである。
【００６６】
また、ホットランナノズル４０が、加熱筒１６に対して非固定とされる場合には、例えば、図４に示されるように、ホットランナノズル４０を、複数（図４には２個のみを示す）のブラケット１０６にて、成形型１４（ここでは、固定型２０）に固定することも可能である。
【００６７】
すなわち、図４に示されるように、ブラケット１０６は、鉄等の金属材料を用いて形成された略Ｌ字状の厚肉板材からなっている。そして、Ｌ字の脚部において、固定型２０の型合わせ面２４とは反対側の面に、挿入孔３２の周囲に位置するようにボルト固定されている。また、ブラケット１０６の上端部には、板状突起１０８が、挿入孔３２の中心軸側に向かって一体的に突設されている。一方、ホットランナノズル４０には、ノズル本体４２の大径部６４に、軸直角方向に所定高さで突出し且つ周方向に連続して延びる外フランジ部１１０が、一体形成されている。
【００６８】
そして、ここでは、ホットランナノズル４０が、ノズル本体４２の大径部６４に設けられた外フランジ部１１０を、挿入孔３２の周囲に固設された各ブラケット１０６の板状突起１０８に対して、その下方において対向位置させた状態で、挿入孔３２内に挿入されている。また、それら互いに対向配置されたホットランナノズル４０の外フランジ部１１０と、各ブラケット１０６の板状突起１０８の間には、圧縮コイルばね１１２等の弾性部材乃至は付勢部材が、所定量だけ圧縮された状態で介装されている。
【００６９】
かくして、本実施形態の射出成形機１０においては、挿入孔３２に挿入されたホットランナノズル４０と各ブラケット１０６の間に介装された各圧縮コイルばね１１２の付勢力により、ホットランナノズル４０が、固定型２０と各ブラケット１０６との間で挟持された状態で、固定型２０に組み付けられるのである。
【００７０】
そして、本実施形態では、加熱筒１６の射出孔形成ブロック８６の先端面が、ホットランナノズル４０におけるノズル本体４２の大径部６２のタッチ面１０４に押圧接触されることにより、そのような加熱筒１６から及ぼされる押圧力と、各圧縮コイルばね１１２の付勢力とに基づいて、ホットランナノズル４０におけるチップカバー７４の先端部に設けられた外フランジ部８２のショルダ面８４が、挿入孔３２の内周面に設けられた段付け面３６に押し付けられて、ホットランナノズル４０の挿入孔３２内での挿入量が規制されるようになっている。従って、このような本実施形態においても、前記第一の実施形態において奏される作用・効果と同様な作用・効果が、有効に享受され得る。
【００７１】
また、図５に示されるように、ホットランナノズル４０を、挿入孔３２内に挿入した状態で、固定型２０に対して取付ボルト１１４にてボルト固定しても良い。
【００７２】
この場合には、図５に示されるように、挿入孔３２の第一開口部３３を通じて外部に突出するホットランナノズル４０のノズル本体４２の大径部６２に、外フランジ部１１０が一体形成され、この外フランジ部１１０が、固定型２０に対して、取付ボルト１１４にて固定される。また、そのような外フランジ部１１０と固定型２０の型合せ面２４の間には、圧縮コイルばね１１２等の弾性部材乃至は付勢部材が、介装される。これにより、取付ボルト１１４の固定型２０への締結時に、外フランジ部１１０と固定型２０の型合せ面２４との非接触が維持される一方で、チップカバー７４の先端部に設けられた外フランジ部８２のショルダ面８４が、取付ボルト１１４の締結力（締付力）に基づいて、挿入孔３２の内周面に設けられた段付け面３６に押し付けられる。そうして、ホットランナノズル４０の挿入孔３２内での挿入量が規制されると共に、ショルダ面８４と段付け面３６とが、取付ボルト１１４の締結力に基づいてシールされた状態で、ホットランナノズル４０が、固定型２０に固定されているのである。従って、このような本実施形態においても、前記第一の実施形態において奏される作用・効果と同様な作用・効果が、有効に享受され得る。
【００７３】
また、図６に示されるように、チップカバー７４の先端部に設けられた外フランジ部８２のショルダ面８４に対して、ショルダ面８４よりも面積の小さな先端面を有する環状突起１１６を一体形成し、この環状突起１１６の先端面を段付け面３６に押圧接触させるようにしても良い。これにより、ショルダ面８４の段付け面３６に対する接触面積が十分に小さくされて、ショルダ面８４から段付け面３６への熱伝導量が、より有利に小さくされ得る。
【００７４】
なお、そのような環状突起１１６は、ノズルチップ４４の周方向に連続して延びる突条形態を有するものであれば、その全体形状や断面形状が、何等限定されるものではない。また、ショルダ面８４に代えて、或いはショルダ面８４に加えて、段付け面３６に形成することも可能である。ショルダ面８４と段付け面３６の両方に形成する場合には、ショルダ面８４と段付け面３６の相互の接触面積を減少させる上から、それらショルダ面８４と段付け面３６にそれぞれ形成された環状突起１１６，１１６の先端面同士が、互いに当接するようになっていることが望ましい。
【００７５】
さらに、チップカバー７４は、省略可能である。そして、チップカバー７４を省略した場合には、例えば、図７に示されるように、ノズルチップ４４が、ノズル本体４２の収容孔部５４内に挿入される基端側部分からなる挿入部１１８と、ノズル本体４２の先端から突出する先端側部分からなる突出部１２０とにて構成される。挿入部１１８の外周面には、雄ねじ８０が形成され、この雄ねじ８０が、挿入孔３２の内周面に設けられた雌ねじ５６に螺合することによって、ノズルチップ４４が、ノズル本体４２に固定される。また、ノズルチップ４４の突出部１２０の挿入部１１８側には、円環板状の外フランジ部１２２が一体形成され、この外フランジ部１２２の挿入部１１８側とは反対側の端面が、ノズルチップ４４の先端部（突出部１２０）の周囲に延びる位置固定のショルダ面８４とされる。
【００７６】
そして、ホットランナノズル４０が挿入孔３２内に挿入された状態下で、ノズルチップ４４の突出部１２０に形成されたショルダ面８４が、挿入孔３２の段付け面３６に当接して、ホットランナノズル４０の挿入孔３２内での挿入量が規制されるようになる。このような本実施形態おいても、前記第一の実施形態において奏される作用・効果と同様な作用・効果が、有効に享受され得る。
【００７７】
なお、段付け面３６と接触するショルダ面８４が、ノズルチップ４４に設けられる場合には、かかるショルダ面８４に、前記した構造を有する環状突起１１６が一体形成されることが、望ましい。これによって、ノズルチップ４４の一部が固定型２０に接触しているにも拘わらず、ノズルチップ４４から固定型２０への熱伝導量を可及的に小さくすることができる。
【００７８】
また、前記幾つかの実施形態では、チップカバー７４の先端部やノズルチップ４４の先端部に、ショルダ面８４が設けられていた。しかしながら、ショルダ面８４は、ノズルチップ４４の先端部の周囲に位置固定に延びるように設けられておれば、ホットランナノズル４０を構成する部材のうちの何れに形成されていても良い。
【００７９】
従って、図８に示されるように、ノズル本体４２の先端部に、チップカバー７４の先端部を外側から取り囲むように位置した筒状突出部１２４を一体的に突設して、この筒状突出部１２４の先端面にて、ショルダ面８４を形成することも可能である。このような本実施形態においても、前記第一の実施形態において奏される作用・効果と同様な作用・効果が、有効に享受され得る。
【００８０】
さらに、前記幾つかの実施形態では、ショルダ面８４が、段付け面３６に押圧接触することにより、断熱空間１０２のシールが実現されていた。しかしながら、例えば、挿入孔３２の第二挿入部３８内に挿入されたチップカバー７４の先端部のうち、円筒状の外周面部分を、チップカバー７４の先端部の熱膨張により、第二挿入部３８の円筒状内周面に接触させることで、断熱空間１０２をシールするように構成しても、何等差し支えない。即ち、ショルダ面８４は、少なくとも、挿入孔３２内でのホットランナノズル４０の挿入量を規制し得るように、段付け面３６に当接しておれば良いのである。
【００８１】
また、前記幾つかの実施形態では、ショルダ面８４と段付け面３６とが、ホットランナノズル４０や挿入孔３２の軸直角方向に広がる平坦面とされていたが、それらショルダ面８４と段付け面３６は、ホットランナノズル４０と挿入孔３２の軸方向において互いに係合する形状を有しておれば良い。従って、ショルダ面８４と段付け面３６とを、ホットランナノズル４０や挿入孔３２の軸直角方向に交差する方向に広がる傾斜面や湾曲面とすることも可能である。
【００８２】
加えて、ホットランナノズル４０を加熱筒１６の先端に固定する場合にあっても、また、ホットランナノズル４０を成形型１４に固定する場合にあっても、それらの固定構造は、前記幾つかの実施形態に示されるものに、何等限定されるものでないことは、勿論である。
【００８３】
その他、一々列挙はしないが、本発明は、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることは、言うまでもないところである。
【符号の説明】
【００８４】
１０  射出成形機                      １２  射出装置
１４  成形型                          １６  加熱筒
３２  挿入孔                          ３３  第一開口部
３４  第二開口部                      ３５  ゲート口
３６  段付け面                        ４０  ホットランナノズル
４２  ノズル本体                      ４４  ノズルチップ
５２  本体側樹脂流路                  ５８  コイルヒータ
７４  チップカバー                    ７６  チップ側樹脂流路
７８  ノズル孔                        ８２  外フランジ部
８４  ショルダ面                      １０２  断熱空間
１１６  環状突起
【図１】
2014079918.tif 000003
【図２】
2014079918.tif 000004
【図３】
2014079918.tif 000005
【図４】
2014079918.tif 000006
【図５】
2014079918.tif 000007
【図６】
2014079918.tif 000008
【図７】
2014079918.tif 000009
【図８】
2014079918.tif 000010